(57)【要約】【課題】  従来の平面構造物の欠点を解消する。【解決手段】  本発明は、機能ゾーン（１０）内に配置するための、電気機能を備えた平面構造物（１）に関する。本発明によれば、該平面構造物（１）はその配置後も前記機能ゾーン（１０）から支障なく再び除去可能である。【選択図】  図２
2014001921.tif 000002
【特許請求の範囲】
【請求項１】
機能ゾーン（１０）内に配置するための、電気機能を備えた平面構造物（１）であって、前記平面構造物（１）はその配置後も前記機能ゾーン（１０）から支障なく再び除去可能であることを特徴とする平面構造物（１）。
【請求項２】
前記平面構造物（１）が、加熱機構（４４）と、少なくとも１つの環境量を検知するためのセンサ機構と、の少なくともいずれかを有することを特徴とする、請求項１に記載の平面構造物（１）。
【請求項３】
前記平面構造物（１）の少なくとも１つの電気部品に無接触でエネルギーを供給するため、前記平面構造物（１）が少なくとも１つのエネルギー吸収機構を有することを特徴とする、請求項１または２に記載の平面構造物（１）。
【請求項４】
前記平面構造物（１）が案内機構を用いて前記機能ゾーン（１０）内に位置決めされていることを特徴とする、請求項１〜３のいずれか一項に記載の平面構造物（１）。
【請求項５】
前記平面構造物（１）が、少なくとも１つの接触面（４，５）において少なくとも１つの接続機構（３）と導電結合している少なくとも１つの結合機構を有しており、
前記接触面（４，５）が前記機能ゾーン（１０）に対して傾斜して配置されていることを特徴とする、請求項１〜４のいずれか一項に記載の平面構造物（１）。
【請求項６】
利用者側に接触する少なくとも１つの電気接触面を有していることを特徴とする、請求項１〜５のいずれか一項に記載の平面構造物（１）。
【請求項７】
前記平面構造物（１）が少なくとも１つの担持体と少なくとも１つの加熱機構（４４）とを有しており、
前記加熱機構（４４）の少なくとも１つが前記担持体の少なくとも１つのエッジを越えて案内されて前記担持体の背面側へ折り返されていることを特徴とする、請求項１〜６のいずれか一項に記載の平面構造物（１）。
【請求項８】
温度調整または監視される機能ゾーン（１０）であって、
前記機能ゾーンに付設の電気機能を備えた平面構造物（１）をその作動ポジションから除去した状態で、少なくとも外面における電圧がゼロであることを特徴とする機能ゾーン。
【請求項９】
電圧がゼロである前記外面が、
ａ）結合機構を除去した時に接続機構（３）の接触面前方に自動的に位置するカバー機構、
ｂ）隆起部または自動的に閉鎖する開口部によって電流案内ゾーンを覆うゴム弾性カバー機構、
ｃ）前記接触面を無電流で切換えするスイッチ機構、
ｄ）エネルギーを電気接点なしで平面構造物（１）の少なくとも１つの電気部品へ伝送させるために無接触で作動するエネルギー伝送機構、
ｅ）利用者から離れた側の前記機能ゾーン（１０）へ向くように配置されて、機能ゾーン（１０）に付設され電圧を誘導する少なくとも１つの接触面、
ｆ）利用者がアクセスできないエッジゾーンまたはアクセスしがたいエッジゾーンに配置されて、前記機能ゾーン（１０）に付設され電圧を誘導する少なくとも１つの接触面、および、
ｇ）少なくとも１つの前記接触面の上方に配置されて、前記平面構造物（１）を取り外した状態でも前記接触面の少なくとも１つを覆う、前記平面構造物（１）を固定するための固定機構、のうちの少なくとも１つによって確保されていることを特徴とする、請求項８に記載の機能ゾーン（１０）。
【請求項１０】
請求項１〜７のいずれか一項に記載の少なくとも１つの平面構造物（１）と、請求項８または９に記載の機能ゾーン（１０）と、の少なくともいずれかを有することを特徴とする温度調整または監視される物体（１００）。
【発明の詳細な説明】
【技術分野】
【０００１】
本発明の対象は、電気的機能を備えた平面構造物１に関する。平面構造物は車両用フットマット、特に意識のない患者を温める電気毛布、ホットカーペット、あるいは、人または動物の有無を検知するためのマットである。
さらに、本発明は、平面構造物を電気エネルギー源と電気結合させるための機構に関する。
【背景技術】
【０００２】
この種の平面要素は望ましくは少なくとも一時的にその使用場所から除去しなければならないことがあるので、十分な導電性を備えると共に簡潔且つ安全な結合手段を必要とする。たとえばフットマットの洗浄、病院内での手術器具の殺菌、あるいは、利用者の選択に応じて床上のカーペットまたはカバーの位置をずらすには、平面要素の除去は合目的である。しかしながら、従来では、この種の平面構造物はこのような機能性を限定的にしか提供していない。
【発明の概要】
【発明が解決しようとする課題】
【０００３】
本発明の課題は、従来の平面構造物の欠点を解消することである。
【課題を解決するための手段】
【０００４】
本発明は、上記課題を解決するため、平面構造物に関しては請求項１に記載の構成を特徴とし、温度調整または監視される機能ゾーンに関しては請求項８に記載の構成を特徴とし、温度調整または監視される物体に関しては請求項１０に記載の構成を特徴とするものである。
【０００５】
以下の説明および請求の範囲で本発明の詳細を説明する。これらの実施態様は本発明を理解するためのものであるが、例示的な性格を持っているにすぎない。もちろん、独立請求項によって定義づけられた本発明の範囲内で、説明する個々の構成またはいくつかの構成を省略すること、変形すること、あるいは補足することも可能である。また、異なる実施態様の構成要件を互いに組み合わせることももちろん可能である。重要なことは、本発明のコンセプトには実質的に置換性があることである。１つの構成要件が少なくとも部分的に満たされていれば、このことは、この構成要件が完全に満たされていることをも含むものであり、または、実質的に完全に満たされていることを含むものである。なお「実質的」とは、特に、置換すればかなりの程度で所望どおりに利用することが可能であることを意味している。これは、特に、対応する構成要件が少なくとも５０％，９０％，９５％または９９％満たされているということを意味している。最小量が記載されていれば、もちろんこの最小量を超えても使用することができる。部材の数量が記載されていれば、これは特に２つ、３つまたはその他の多数の部材を備えた実施態様をも含んでいる。１つの物体に記載されていることは、他の同種のすべての物体の大部分またはすべてに適用することができる。間隔は、別になにも記載がなければ、その端点を含んでいる。
【図面の簡単な説明】
【０００６】
【図１】本発明による平面構造物を備えた車両の側面図である。
【図２】図１の平面構造物の斜視図である。
【発明を実施するための形態】
【０００７】
本発明は、少なくとも１つの物体１００の温度調整および／または監視に関する。とりわけ物体とは、人が触れる物または面であり、あるいは、凍結のおそれがある物または面のことであり、たとえば飛行機の翼、送信設備、冷蔵庫、家庭内の備品、ドア、窓、屋根、寝椅子、クッション等である。また、航空機、船舶、陸上車両、鉄道車両、あるいは、たとえば図１の自動車１０００の内部備品でもある。自動車の内部備品とはたとえば操舵機構１００ａ、ハンドル１００ｂ、ダッシュボード１００ｃ、アームサポート、ドア張り１００ｄ、シートレスト、車両ルーフ１００ｆ、クッション、カバー７０、シート１００ｅ、あるいは、フットマットである。
【０００８】
少なくとも１つのこのような物体１００は、１つまたは複数の機能ゾーン１０を有している。機能ゾーンとは、たとえば温度調整すべき面または監視すべき領域、たとえばパッセンジャー検知装置である。
【０００９】
少なくとも１つの温度調整すべきおよび／または監視すべき物体１００と、少なくとも１つの機能ゾーン１０とには、少なくとも１つの電気機能を備えた少なくとも１つの平面構造物１が付設されている。平面構造物とは、たとえば図１または図２に図示したように電気毛布、センサ付きフットマット、空調機構４０等である。平面構造物１は少なくとも一部が機能ゾーン１０内に配置されている。
【００１０】
好ましくは、少なくとも１つの平面構造物は、機能ゾーン１０を温度調整するための少なくとも１つの温度調整機構４３を有している。温度調整機構４３とは、その周囲の温度を目的に応じて調整するために利用できるあらゆる機構のことであり、たとえば少なくとも１つの電気加熱抵抗器、加熱ポンプ、ペルチエ素子および／またはたとえば換気機のような空気運動機構を備えたすべての装置である。
【００１１】
少なくとも１つの温度調整機構４３は、好ましくは少なくとも１つの電気加熱機構４４を有している。このような加熱機構は好ましくは繊維製平面加熱要素として実施されている。加熱機構はたとえばシート１００ｅのような装備品のクッション部に挿入する挿入物として使用可能である。
【００１２】
少なくとも１つの加熱機構４４は、電気エネルギーを熱エネルギーに変換するために、好ましくは１つまたは複数の抵抗機構４５を有している。１つまたは複数の抵抗機構４５は、好ましくは、１００℃超の温度で（適用例に応じては２００℃または２５０℃超の温度でも）その導電性を少なくとも一部喪失するように構成されている。適用例に応じては、１５０℃未満、２００℃未満、あるいは２６０℃未満であってもよい。少なくとも１つの抵抗機構４５および／またはその構成要素は、好ましくはＰＴＣ作用を有している。
【００１３】
少なくとも１つの抵抗機構４５は、好ましくは、温度調整用の１本または複数本の導線５０を有している。
【００１４】
好ましくは、少なくとも１つの加熱機構４４は２つまたはそれ以上の電極４６を有し、これら電極は互いに間隔をもって少なくともその一部が抵抗機構４５に配置されている。好ましくは、電極は抵抗機構４５のエッジ付近に沿って配置され、たとえば縫製、接着またはプリントによってそれに固定されている。電極は長尺の輪郭を有し、実質的に雷文状および／または直線状に延在している。電極は好ましくは互いに略平行に配置され、それぞれその１つの端部において結合導線４６１を介して電流／電圧源と接続されている。２つよりも多い接点機構４８が１つの抵抗機構４５に配置されている場合には、その特定の領域は残りの領域とは独立に通電可能である。
【００１５】
電極４６は、基本的には、抵抗機構４５と同じ材料から製造してよい。このため、好ましくは、比較的多量の導電材料が設けられている。これは、たとえば、平坦な担持機構上に抵抗機構をたとえばシルクスクリーン印刷によってプリントすることによって行うことができる。続いて、１つまたは複数の他の層をエッジ領域にプリントして、電極を形成させる。
【００１６】
このような平面構造物１は、１つまたは複数の層から構成されたモジュールであってよい。好ましくは、平面構造物１は比較的大きな外乱の影響を遮断するために保護層を含んでいる。導電性のフォイルまたは繊維物は、必要な熱エネルギーを提供する。
【００１７】
このような平面構造物は、好ましくは、少なくとも１つのカバー７０を有している。カバーとは、平面構造物１を少なくとも部分的に覆うあらゆる種類の層、バッククロスカバー、層複合物であり、特に平坦な関連部材として平面構造物１に配置され、および／または、実質的に関連あるものとして平面構造物から取り外し可能なものである。これに加えて、または、これとは択一的に、平面構造物１は１つまたは複数の被膜を備えていてもよい。
【００１８】
多くの適用例に対しては、平面構造物１がその下面７２に摩擦抵抗の大きな面をたとえば高摩擦値の材料（たとえばゴム）を使用することによって有しているのが合目的な場合がある。同様の効果は、粗さを大きくすることによっても達成でき、たとえばココナッツ繊維、セラミック粒状材料またはけば立てた繊維を使用することによっても達成できる。
【００１９】
多くの適用例に対しては、平面構造物１を湿気および汚染から保護するため、または、その面を触感的に快適に構成するため、平面構造物１はその利用者側上面７１にカーペット、繊維、ポリウレタン被膜等を備えている。
【００２０】
好ましくは、平面構造物１は少なくとも１つの環境量を検出するためのセンサ機構を有している。空調機構４０の場合、これはたとえば湿度センサであり、シート内の湿度および／または周囲の空気中の湿度または他のパラメータを検出する。加熱機構４４の場合にはたとえば温度センサであり、加熱要素および／または周囲の温度レベルを監視して、最大限の快適性と安全性とを保証する。このような温度センサはたとえばサーモスタットであってよい。
【００２１】
センサ機構を人間またはパッセンジャーの検知に用いるようにしてもよい。センサ機構はたとえばその電磁場、周囲圧、印加ポテンシャル、またはその電気容量の変化に反応することができる。センサ機構はその結果を信号化し、或いは、たとえば部品を始動または停止させることができる。たとえば暖房または空調機構、ラジオ、ベルト監視機構、自動操舵機構、駐車補助機構などをオンにすることができ、人を検知した時にオンにさせ、人がいなくなると対応するシステムをオフにさせる。
【００２２】
平面構造物１はその取り付け後も機能ゾーン１０から難なく再び除去可能であるのが望ましい。このためには電気結合部を簡単に取り外し可能であること、そしてエネルギー源６０に再度迅速に接続可能であることが必要である。
【００２３】
好ましくは、平面構造物は少なくとも１つの接点機構４８を有し、該接点機構は、エネルギー源側の対応する接続機構３と協働して電圧を平面構造物１に印加させる。
【００２４】
この場合、結合機構と接続機構３との間のエネルギーの伝送は、結合機構に設けた導電性接触面４，５と接続機構３の対応する接触面とに電流を伝送することによって行うことができる。
【００２５】
それぞれの接触面４，５が取り付け状態で押圧力により互いに押圧し合うのが合目的であり得る。これはたとえば機械的なばね、磁石またはクランプレバーによって達成できる。
【００２６】
フットマットを車両底部の１つまたは複数のコーナー部に固定するための差し込み結合部は公知である。このような固定機構を接続機構３として利用するようにしてもよい。
【００２７】
結合機構の接触面と接続機構３の接触面との間が汚染するのを回避するため、これら接触面を機能ゾーン１０に対し非平行に配置するのが有利である。
【００２８】
この場合、むしろ、平面構造物１が少なくとも１つの接触面に設けた少なくとも１つの接続機構３と導電結合している少なくとも１つの結合機構を有していて、前記接触面が機能ゾーン１０に対し相対的に傾斜して配置されているのが合目的である。
【００２９】
加えて、好ましくは、平面構造物の少なくとも一部分も傾斜しており、その結果接続機構３は、たとえば壁または傾斜した底部の一部分に配置されていても接触することができる。車両のフットマットの場合には、好ましくは、接続機構３は走行方向に関しパッセンジャーの側方に配置されている壁に設けられている。他の適当な位置は、走行方向に関しペダルの前方にある傾斜部分である。
【００３０】
好ましくは、機能ゾーン１０に割り当てられる電圧を誘導する少なくとも１つの接触面は、利用者から離れて機能ゾーン１０側に位置するように配置されている。これによって当該接触面はすでに平面構造物１自体によって覆われている。
【００３１】
少なくとも１つの平面構造物１が利用者側に少なくとも１つの電気接触面４，５を有していれば、接続機構３の接触面は平面構造物１と上方から接触することができる。このため、平面構造物１の少なくともエッジ部分または１つのコーナー部を押し込むための湾曲体、差し込みレールまたは板ばねが設けられていてよい。このケースでは、平面構造物１はその上面で結合機構の接触面４，５を担持する。これによって、これら接触面４，５は接続機構３の接触面と電気接触することができる。このような板ばねまたはレールは、好ましくは、フットマットの前部エッジまたは側部エッジに沿って配置されている。
【００３２】
これに加えて、またはこれとは択一的に、接触面４，４’，５，５’を利用者がアクセスできないエッジゾーンまたはアクセスしにくいエッジゾーンに配置するため、たとえばフットマットの１つまたはいくつかのコーナー部はとりわけ走行方向に対し側方の領域にあって且つ走行方向に関しペダルの前方にあるコーナー部と接触してそこに固定されていることが可能である。
【００３３】
平面構造物を固定するための固定機構１２は、平面構造物を取り外した状態においても接触面４”，５”の少なくとも１つを覆うように少なくとも１つの当該接触面の上方に配置されているが、この固定機構も同様に電気接触面の接触ミスを阻止することができる。
【００３４】
少なくとも１つの機能ゾーン１０またはこれに付設されている接続機構３は、好ましくは、電気機能または接続機構を備えた付設の平面構造物１がその作動ポジションから離間した状態で電圧を誘導する外面を有していない。すなわち、少なくとも１つの機能ゾーンまたはこれに付設されている接続機構は少なくともその外面においては電圧がゼロである。
【００３５】
ここで外面とは、特に、機能ゾーン１０から利用者側へ向いているすべての領域、或いは、温度調整／監視される物体１００の通常の利用の際に人が簡単に触れることのできるすべての領域のことである。
【００３６】
このような外面に電圧ゼロの状態を確保するため、たとえば、機能ゾーン１０にカバー機構が付設され、該カバー機構は平面構造物１を取り外した状態で電気接触面を覆う。接続機構を除去した時にカバー機構が自動的に接続機構３の接触面の前方に位置するならば合目的である。これは、たとえば、接続機構を除去した時だけ除去される回転円板を用いて実現できる。他の可能性は、隆起部または自動的に閉鎖する開口部によって電流誘導ゾーンを覆うゴム弾性カバー機構である。
【００３７】
電圧ゼロの外面を実現する他の可能性は、適当なスイッチ機構を用いて接触面を無電流に切換えたり通電することであり、すなわちオンオフすることである。このため、接続機構は、差し込みピン、磁石または他の手段を用いて、少なくとも１つの接触面への電流供給を遮断するスイッチを操作することができる。このようにすると、高作動電圧を持ったシステムの場合でも、利用者側の接触面を非絶縁状態に維持することができる。差し込みピンを利用する場合には、該差し込みピンは、折損が回避されるように構成され、且つ接続機構３に設けた開口部が靴のかかと、石または鍵のような通常の異物を通さず、同時に電圧の確実なオンオフを可能にするように構成されていることが好ましい。このため、合目的なのは、鋸歯状に屈曲した平坦な細条部、或いは、十字ドライバーの先端のような短い隆起部である。後者は、障害の危険を減らすため、補助的なリング状の細条部によって保護されていてよい。
【００３８】
スイッチ機構は、好ましくは、たとえば十字スリットのような特殊な形状の差し込みピンを備えた閉鎖機構（たとえば鍵、錠の形態）と連結されている。これにより、偶然に他の物体（たとえば靴のかかとまたは利用者）が接触面４，５と接触したときに間違って電流が流れるのが回避される。
【００３９】
しかしながら、好ましくは、閉鎖機構および／または作動電流は磁気的に切換えられる。このため、好ましくは、基本ポジションで電流を遮断するスイッチが接続機構３内に設けられる。このスイッチが接続機構に配置されている磁石の磁場の影響を受けると、スイッチが閉じて接続機構が電流を得る。
【００４０】
接続機構３は、接触のために、ＲＡＩ抵抗器（RAI-Widerstand）を有していてもよい。ＲＡＩ抵抗器も、平面構造物への電流の供給が望ましいときにのみオンになる。
【００４１】
電気接点と電流を誘導する外面とを設けずに済むようにするため、電気エネルギーの伝送は、平面構造物と一方ではその機能要素との間および他方ではエネルギー源との間のダイレクトな電気接触なしでも行うことができ、たとえば誘導性電流伝送によって行うことができる。このため、好ましくは、少なくとも１つの機能ゾーン１０に少なくとも１つのエネルギー放出機構３２，３２’がたとえば電気放出コイル６’の形態で付設され、平面構成物１またはその電気機能要素にエネルギーを放出するようになっている。このコイルは巻回軸線または回転点のまわりに巻回されているワイヤーまたは撚り線をたとえば筒状のワイヤーコイルとして有していてよい。しかし、コイルは渦形の形状を有していてもよく、その巻回径は変化しており、特に内側から外側へ増大する。この場合、コイルはたとえば縫い目によって基板に固定してよく、或いは、自らが縫製糸の一部を形成するか、または自らが縫製糸であってよい。この種のコイル装置は、特に床のカーペット上および／またはケアが必要なマット上に設ければ非常に省スペースである。
【００４２】
好ましくは、平面構造物１の少なくとも１つの電気部品に無接触でエネルギーを供給するため、平面構造物１および／またはその接続機構３は少なくとも１つのエネルギー吸収機構３３，３３’を有している。このために適しているのは、たとえば、結合機構または平面構造物１全体と接続機構３との間の電磁場へのエネルギー供給を可能にする電気コイルである。
【００４３】
平面構造物１または結合機構は、電磁場から電気エネルギーを取り出すために、適当な電気コイル６，６’を有している。また、平面構造物の電気機能要素内で誘導磁場が直接に電流を発生させるようにしてもよい。このような配置構成では、合目的には、コイルは抵抗機構４５としての加熱導体から形成されている。コイルの端部はここでは合目的には電極４６を用いて互いに結合されている。抵抗機構４５は、好ましくは、絶縁した撚り銅線を有している。このようなコイル・加熱導体システムは、好ましくは、キロヘルツ範囲の共鳴周波数で励磁される。これによりエネルギー伝送効率は９０％より大きくなる。
【００４４】
これにより、たとえば、加熱要素は誘導作用によって熱発生に直接利用することができる。しかし、電磁場からエネルギーを取り出して、機能要素内の、特に加熱抵抗器内の電流の形態で平面構造部１に供給する第２のコイルを設けてもよい。
【００４５】
好ましくは、電気コイル６，６’は１と１０００の間の巻き数を有し、好ましくは１０と１００の間の巻き数を有している。好ましくは、平面構造物１の基面の少なくとも５０％は１つまたは複数のコイルの内部に配置されている。好ましくは、平面構造物１の基面の少なくとも５０％を含む、好ましくは少なくとも７０％、より好適には９０％を含む少なくとも１回の巻き数を有する少なくとも１つのコイルが設けられている。このような構成により、外部から印加された磁場の効率的な利用が可能になる。
【００４６】
平面構造物１をその接点機構４８またはそのエネルギー吸収機構３３とともに接続機構３に対する機能ゾーン１０内部の所定の作動ポジションにおいて案内するため、たとえば差し込みピンの形態の案内機構１７，１７’を利用することができる。特に実際的なのは、結合機構が接続機構３に接近した時にこれら両機構の正確な位置調整を自動的に行わせる磁石を使用することである。さらにこのような磁石は、結合機構と接続機構３との電気接点の間に押圧力をも生じさせて、両接点の間に十分な押圧力を生成させる。これによって接触抵抗が小さくなる。
【００４７】
空調機構４０またはその１つまたは複数の構成要素（たとえば抵抗機構４５、接点機構４８等）は、１つまたは複数の導線５０を有している。この導線はたとえば電極４６として、電流誘導用の接点機構または結合線４６１として、熱発生用の抵抗機構４５として、および／または、センサ機構として、たとえば温度センサまたは湿度センサとして実施されていてよい。
【００４８】
平面構造物１が少なくとも１つの担持体と少なくとも１つの加熱機構４４とを有している場合、且つ複数の加熱機構４４のうちの少なくとも１つまたはその加熱抵抗器の少なくとも一部分が前記担持体の少なくとも１つのエッジを越えて案内されて該担持体の背面へ折り返されている場合、すなわち担持体の背後へ折り曲げられている場合、担持体はその全面にわたって加熱可能であり、しかし少なくとも折り返されたエッジにおいては縁まで加熱可能である。これは、このような担持体を複数個並設して２つの担持体間の冷たいゾーンを回避すべき場合に特に合目的である。
【００４９】
好ましくは、平面構造物１は、たとえばフォイルまたは繊維から成る平坦な担持体を有している。好ましくは、担持体上に少なくとも１つの加熱導体が縫い付けられている。加熱導体を備えた担持体は、フットマットを形成させるために、ラテックス、フォームラバー、発泡ポリウレタン、または他の弾性材の中に埋設されている。担持体を加熱導体とともに弾性材の中に埋設する前に１つの側面または複数の側面においてポリウレタンフォイルで覆うことで、繊維製担持体内への弾性材の侵入を回避するのが合目的であり得る。好ましくは、担持体および／またはこれに配置されている加熱導体は、少なくとも部分的にフットマット内部で該マットの面に沿って、取り囲んでいる弾性材に対し相対的に変位可能に埋設されている。
【００５０】
平面構造物１またはその構成部材の少なくとも１つ（たとえば担持体またはゴム化層）が構成要素としてフェライトを含んでいれば合目的であり得る。特に適しているのは粉末状または顆粒状フェライトの添加材である。フェライトがコイルの内部に配置されていれば、電磁場の磁束をコイルによって転向させるので、無接触エネルギー伝送の効率を改善させる。
【００５１】
本発明は、以下の特徴を有する。
［１］  機能ゾーン（１０）内に配置するための、電気機能を備えた平面構造物（１）において、該平面構造物（１）はその配置後も前記機能ゾーン（１０）から支障なく再び除去可能であることを特徴とする平面構造物（１）。
［２］  前記平面構造物（１）が、加熱機構（４４）と、これに加えてまたはこれとは択一的に、少なくとも１つの環境量を検知するためのセンサ機構とを有していることを特徴とする、上記記載の平面構造物（１）。
［３］  前記平面構造物（１）の少なくとも１つの電気部品に無接触でエネルギーを供給するため、該平面構造物（１）が少なくとも１つのエネルギー吸収機構を有していることを特徴とする、上記記載の平面構造物（１）。
［４］  平面構造物（１）が案内機構を用いて前記機能ゾーン（１０）内に位置決めされていることを特徴とする、上記記載の平面構造物（１）。
［５］  前記平面構造物（１）が、少なくとも１つの接触面（４，５）において少なくとも１つの接続機構（３）と導電結合している少なくとも１つの結合機構を有していること、前記接触面（４，５）が前記機能ゾーン（１０）に対して傾斜して配置されていることを特徴とする、上記記載の平面構造物（１）。
［６］  利用者側に少なくとも１つの電気接触面を有していることを特徴とする、上記記載の平面構造物（１）。
［７］  前記平面構造物（１）が少なくとも１つの担持体と少なくとも１つの加熱機構（４４）とを有していること、前記加熱機構（４４）の少なくとも１つが前記担持体の少なくとも１つのエッジを越えて案内されて該担持体の背面側へ折り返されていることを特徴とする、上記記載の平面構造物（１）。
［８］  温度調整または監視される機能ゾーン（１０）において、該機能ゾーンに付設の電気機能を備えた平面構造物（１）をその作動ポジションから除去した状態で、少なくとも外面において電圧がゼロであることを特徴とする機能ゾーン。
［９］  電圧ゼロの外面が以下の機構のうちの少なくとも１つによって確保されていること、すなわち
ａ）結合機構を除去した時に接続機構（３）の接触面前方に自動的に位置するカバー機構、
ｂ）隆起部または自動的に閉鎖する開口部によって電流案内ゾーンを覆うゴム弾性カバー機構、
ｃ）前記接触面を無電流で切換えするスイッチ機構、
ｄ）エネルギーを電気接点なしで平面構造物（１）の少なくとも１つの電気部品へ伝送させるために無接触で作動するエネルギー伝送機構、
ｅ）機能ゾーン（１０）に付設され電圧を誘導する少なくとも１つの接触面を、利用者から離れた側の前記機能ゾーン（１０）へ向くように配置したこと、
ｆ）機能ゾーン（１０）に付設され電圧を誘導する少なくとも１つの接触面を、利用者がアクセスできないエッジゾーンまたはアクセスしがたいエッジゾーンに配置すること、
ｇ）少なくとも１つの接触面の上方に配置されて、前記平面構造物（１）を取り外した状態でも前記接触面の少なくとも１つを覆う、前記平面構造物（１）を固定するための固定機構、
のうちの少なくとも１つによって確保されていることを特徴とする、上記記載の機能ゾーン（１０）。
［１０］  少なくとも１つの平面構造物（１）と、これに加えて、または、これとは択一的に、上記記載の機能ゾーン（１０）とを有していることを特徴とする温度調整または監視される物体（１００）。
【符号の説明】
【００５２】
１  平面構造物
３  接続機構
４，４’，４”，５，５’，５”  接触面
６，６’  コイル
１０  機能ゾーン
１２  固定機構
１７，１７’  案内機構
３２，３２’  エネルギー放出機構
３３，３３’  エネルギー吸収機構
４０  空調機構
４３  温度調整機構
４４  加熱機構
４５  抵抗機構
４６  電極
４８  接点機構
５０  導線
６０  エネルギー源
７０  カバー
７１  上面
７２  下面
１００  物体
１００ａ  操舵機構
１００ｂ  ハンドル
１００ｃ  ダッシュボード
１００ｄ  ドア張り
１００ｅ  シート
１００ｆ  車両ルーフ
４６１  結合導線
１０００  自動車
【図１】
2014001921.tif 000003
【図２】
2014001921.tif 000004